(57)【特許請求の範囲】
【請求項１】
各々に評価点が対応付けられた複数の空間画像を記憶するデータベース部と、
前記データベース部を参照して１以上の空間画像を候補群として選択し、選択した候補群の中から、評価点に基づいて一の空間画像を選択する選択部と、
前記選択部によって選択された空間画像を表示する表示部と、
前記選択部によって選択された空間画像に対する再評価点を受け付ける再評価部と、
地理的属性及び人口動態属性の少なくとも一方と、居住空間及び生活シーンの印象とを受け付ける受付部とを備え、
前記データベース部は、
前記複数の空間画像のうち、複数の地理的属性を示す地理情報と複数の居住空間を示す空間情報と生活シーンの複数の印象を示す印象情報との組み合わせ毎に対応付けられた１以上の第１空間画像を記憶する第１データベースと、
前記複数の空間画像のうち、複数の人口動態属性を示す人口動態情報と前記空間情報と前記印象情報との組み合わせ毎に対応付けられた１以上の第２空間画像を記憶する第２データベースとを有し、
前記選択部は、前記受付部が受け付けた地理的属性、居住空間及び生活シーンの印象の組み合わせに対応する１以上の第１空間画像と、前記受付部が受け付けた人口動態属性、居住空間及び生活シーンの印象の組み合わせに対応する１以上の第２空間画像との少なくとも一方を、前記候補群として選択する
空間イメージ提案システム。
【請求項２】
前記データベース部は、さらに、前記複数の空間画像のうち、複数の嗜好特性を示す嗜好情報と前記空間情報と前記印象情報との組み合わせ毎に対応付けられた１以上の第３空間画像を記憶する第３データベースを有する
請求項１に記載の空間イメージ提案システム。
【請求項３】
前記受付部は、さらに、嗜好特性を受け付け、
前記選択部は、さらに、前記受付部が受け付けた嗜好特性、居住空間及び生活シーンの印象の組み合わせに対応する１以上の第３空間画像を、前記候補群として選択する
請求項２に記載の空間イメージ提案システム。
【請求項４】
さらに、
前記再評価部によって受け付けられた再評価点を用いて、前記データベース部に記憶された評価点を更新する更新部を備える
請求項１〜３のいずれか１項に記載の空間イメージ提案システム。
【請求項５】
前記選択部は、さらに、前記再評価部によって受け付けられた再評価点が所定の閾値より小さい場合に、前記候補群の中から、前記一の空間画像とは異なる空間画像を選択する
請求項１〜４のいずれか１項に記載の空間イメージ提案システム。
【請求項６】
前記選択部は、前記再評価部が前記閾値以上の再評価点を受け付けるまで、評価点が高い順で空間画像を選択する
請求項５に記載の空間イメージ提案システム。
【請求項７】
コンピュータを、請求項１〜６のいずれか１項に記載の空間イメージ提案システムとして機能させるためのプログラム。
【請求項８】
各々に評価点が対応付けられた複数の空間画像を記憶するデータベース部を参照して１以上の空間画像を候補群として選択し、選択した候補群の中から、評価点に基づいて一の空間画像を選択する選択部と、
前記選択部によって選択された空間画像を表示する表示部と、
前記選択部によって選択された空間画像に対する再評価点を受け付ける再評価部と、
地理的属性及び人口動態属性の少なくとも一方と、居住空間及び生活シーンの印象とを受け付ける受付部とを備え、
前記データベース部は、
前記複数の空間画像のうち、複数の地理的属性を示す地理情報と複数の居住空間を示す空間情報と生活シーンの複数の印象を示す印象情報との組み合わせ毎に対応付けられた１以上の第１空間画像を記憶する第１データベースと、
前記複数の空間画像のうち、複数の人口動態属性を示す人口動態情報と前記空間情報と前記印象情報との組み合わせ毎に対応付けられた１以上の第２空間画像を記憶する第２データベースとを有し、
前記選択部は、前記受付部が受け付けた地理的属性、居住空間及び生活シーンの印象の組み合わせに対応する１以上の第１空間画像と、前記受付部が受け付けた人口動態属性、居住空間及び生活シーンの印象の組み合わせに対応する１以上の第２空間画像との少なくとも一方を、前記候補群として選択する
空間イメージ提案装置。
【発明の詳細な説明】
【技術分野】
【０００１】
本発明は、空間イメージ提案システム、空間イメージ提案装置及びプログラムに関する。
【背景技術】
【０００２】
従来、顧客の要望に合ったインテリアを構築するために、専門のアドバイザーが居住空間のインテリアの提案を顧客に行っている。インテリアの提案を支援するために、特許文献１に記載されたインテリアコーディネート支援装置などが知られている。
【先行技術文献】
【特許文献】
【０００３】
【特許文献１】特開２００１−１４２９２４号公報
【発明の概要】
【発明が解決しようとする課題】
【０００４】
しかしながら、顧客の理想の空間イメージが曖昧な場合、又は、顧客がアドバイザーに一任する場合など、専門のアドバイザーといえども、アドバイザーが提案する空間イメージが顧客の要望を十分に満たすことは難しい。特に、アドバイザーと顧客とで国籍又は出身地が異なる場合には、空間イメージに対する印象のずれが大きく、顧客の要望に合った空間イメージを提案することがより難しくなる。
【０００５】
また、特許文献１に記載のインテリアコーディネート支援装置では、複数のテーマに応じた複数の画像が表示されるので、特に顧客の理想の空間イメージが曖昧な場合などは、１つの画像を選択することが難しい。
【０００６】
そこで、本発明は、ユーザの要望に合った空間イメージを提案することができる空間イメージ提案システムなどを提供することを目的とする。
【課題を解決するための手段】
【０００７】
上記目的を達成するため、本発明の一態様に係る空間イメージ提案システムは、各々に評価点が対応付けられた複数の空間画像を記憶するデータベース部と、前記データベース部を参照して所定の条件を満たす１以上の空間画像を候補群として選択し、選択した候補群の中から、評価点に基づいて一の空間画像を選択する選択部と、前記選択部によって選択された空間画像を表示する表示部と、前記選択部によって選択された空間画像に対する再評価点を受け付ける再評価部とを備え、前記データベース部は、前記複数の空間画像のうち、複数の地理的属性を示す地理情報と複数の居住空間を示す空間情報と生活シーンの複数の印象を示す印象情報との組み合わせ毎に対応付けられた１以上の第１空間画像を記憶する第１データベースと、前記複数の空間画像のうち、複数の人口動態属性を示す人口動態情報と前記空間情報と前記印象情報との組み合わせ毎に対応付けられた１以上の第２空間画像を記憶する第２データベースとを有する。
【０００８】
また、本発明の一態様に係る空間イメージ提案装置は、各々に評価点が対応付けられた複数の空間画像を記憶するデータベース部を参照して所定の条件を満たす１以上の空間画像を候補群として選択し、選択した候補群の中から、評価点に基づいて一の空間画像を選択する選択部と、前記選択部によって選択された空間画像を表示する表示部と、前記選択部によって選択された空間画像に対する再評価点を受け付ける再評価部とを備え、前記データベース部は、前記複数の空間画像のうち、複数の地理的属性を示す地理情報と複数の居住空間を示す空間情報と生活シーンの複数の印象を示す印象情報との組み合わせ毎に対応付けられた１以上の第１空間画像を記憶する第１データベースと、前記複数の空間画像のうち、複数の人口動態属性を示す人口動態情報と前記空間情報と前記印象情報との組み合わせ毎に対応付けられた１以上の第２空間画像を記憶する第２データベースとを有する。
【０００９】
また、本発明の一態様は、コンピュータを上記空間イメージ提案システムとして機能させるためのプログラムとして実現することができる。あるいは、当該プログラムを格納したコンピュータ読み取り可能な記録媒体として実現することもできる。
【発明の効果】
【００１０】
本発明に係る空間イメージ提案システムによれば、ユーザの要望に合った空間イメージを提案することができる。
【図面の簡単な説明】
【００１１】
【図１】実施の形態に係る空間イメージ提案システムの機能構成を示すブロック図である。
【図２Ａ】実施の形態に係る第１データベースの内容を示す図である。
【図２Ｂ】実施の形態に係る第２データベースの内容を示す図である。
【図２Ｃ】実施の形態に係る第３データベースの内容を示す図である。
【図３】実施の形態に係る所定の組み合わせに対応付けられた空間画像と評価点との対応関係を示す図である。
【図４】実施の形態に係る空間イメージ提案システムの動作を示すフローチャートである。
【図５】実施の形態に係る表示部による空間画像と再評価点の入力画面の表示例を示す図である。
【図６】実施の形態に係る評価点の更新処理を説明するための図である。
【発明を実施するための形態】
【００１２】
以下では、本発明の実施の形態に係る空間イメージ提案システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成部材については同じ符号を付している。
【００１４】
（実施の形態）
［構成］
まず、本実施の形態に係る空間イメージ提案システムの概要について、図１を用いて説明する。図１は、本実施の形態に係る空間イメージ提案システム１の機能構成を示すブロック図である。
【００１５】
図１に示すように、空間イメージ提案システム１は、受付部１０と、選択部２０と、表示部３０と、再評価部４０と、更新部５０と、データベース部６０とを備える。なお、空間イメージ提案システム１は、例えば、端末装置２と、サーバ装置３とで実現される。
【００１６】
端末装置２は、例えば、スマートフォン、携帯電話若しくはタブレット端末などの携帯端末、又は、パーソナルコンピュータ（ＰＣ）などである。端末装置２は、受付部１０と、選択部２０と、表示部３０と、再評価部４０と、更新部５０とを備える空間イメージ提案装置の一例である。
【００１７】
サーバ装置３は、データベース部６０を備える。サーバ装置３は、端末装置２との間でネットワークを介して通信を行う。なお、端末装置２が、データベース部６０を含む全ての構成要素を備えてもよい。
【００１８】
以下では、空間イメージ提案システム１が備える各構成要素の詳細について説明する。
【００１９】
［受付部］
受付部１０は、ユーザ（例えば、顧客）の特性を示す特性情報と、空間イメージの提案を受けたい対象となるシーンを示すシーン情報とを受け付ける。特性情報には、ユーザの地理的属性、人口動態属性及び嗜好特性の少なくとも１つが含まれる。シーン情報には、居住空間及び生活シーンの印象が含まれる。
【００２０】
受付部１０は、例えば、複数の地理的属性、複数の人口動態属性及び複数の嗜好特性の中から、ユーザに、地理的属性、人口動態属性及び嗜好特性を１つずつ選択させる。受付部１０は、ユーザによって選択された地理的属性、人口動態属性及び嗜好特性を、特性情報として受け付ける。
【００２１】
ユーザによる選択の候補である複数の地理的属性、複数の人口動態属性及び複数の嗜好特性はそれぞれ、データベース部６０が有するデータベースの組（行）を特定するために用いられる情報である。具体的には、複数の地理的属性は、第１データベース６２に管理された地理情報である。複数の人口動態属性は、第２データベース６４に管理された人口動態情報である。複数の嗜好特性は、第３データベース６６に管理された嗜好情報である。各データベースの詳細については、図２Ａ〜図２Ｃを用いて後で説明する。
【００２２】
受付部１０は、さらに、複数の居住空間及び生活シーンの複数の印象の中から、ユーザに、居住空間及び生活シーンの印象を１つずつ選択させる。受付部１０は、ユーザによって選択された居住空間及び生活シーンの印象を、シーン情報として受け付ける。
【００２３】
ユーザによる選択の候補である複数の居住空間及び生活シーンの複数の印象は、データベース部６０が有するデータベースの属性（列）を特定するために用いられる情報である。複数の居住空間及び生活シーンの複数の印象は、第１データベース６２、第２データベース６４及び第３データベース６６の各々の見出しとして管理された空間情報及び印象情報である。
【００２４】
例えば、受付部１０は、タッチパネルディスプレイ（表示部３０と兼用してもよい）などで実現される。具体的には、受付部１０は、特性情報の候補及びシーン情報の候補を表示し、ユーザに特性情報及びシーン情報を選択させる。
【００２５】
なお、受付部１０は、ユーザに選択させるのではなく、特性情報及びシーン情報を直接入力させることで受け付けてもよい。例えば、受付部１０は、表示部３０にテキストボックスなどを表示させることで、テキスト入力で特性情報及びシーン情報を受け付けてもよい。あるいは、受付部１０は、マイクロフォンなどで実現され、ユーザが発した声を取得することで、特性情報及びシーン情報を受け付けてもよい。また、受付部１０は、カメラで実現されてもよい。例えば、受付部１０は、ユーザが室内又はユーザ自身の顔などを撮影することで、撮影画像を取得し、取得した撮影画像を解析することで、ユーザの年齢及び性別などの人口動態属性を取得してもよい。また、受付部１０は、ＧＰＳ（Ｇｌｏｂａｌ  Ｐｏｓｉｔｉｏｎｉｎｇ  Ｓｙｓｔｅｍ）などの機能を有する受信機であり、現在位置を地理的属性として取得してもよい。
【００２６】
［選択部］
選択部２０は、データベース部６０を参照して所定の条件を満たす１以上の空間画像を候補群として選択する。所定の条件は、受付部１０が受け付けた特性情報及びシーン情報によって特定される地理的属性、人口動態属性及び嗜好特性の各々と、居住空間と生活シーンの印象との組み合わせに対応することである。なお、組み合わせは、データベース部６０が有する各データベースの行と列との交差部分に相当する。
【００２７】
具体的には、選択部２０は、受付部１０が受け付けた地理的属性、居住空間及び生活シーンの印象の組み合わせに対応する１以上の第１空間画像と、受付部１０が受け付けた人口動態属性、居住空間及び生活シーンの印象の組み合わせに対応する１以上の第２空間画像と、受付部１０が受け付けた嗜好特性、居住空間及び生活シーンの印象の組み合わせに対応する１以上の第３空間画像とを、候補群として選択する。つまり、選択部２０は、第１データベース６２、第２データベース６４及び第３データベース６６の各々から１以上の空間画像を、候補群として選択する。
【００２８】
なお、特性情報に地理情報、人口動態情報及び嗜好情報のいずれかが含まれない場合、選択部２０は、含まれない情報に対応するデータベースからは空間画像を候補群として選択しない。例えば、特性情報に嗜好情報が含まれない場合、すなわち、ユーザが嗜好特性を選択（入力）しなかった場合、選択部２０は、第３データベース６６を参照しなくてよい。
【００２９】
選択部２０は、選択した候補群の中から、評価点に基づいて一の空間画像を選択する。本実施の形態では、選択部２０は、選択した候補群の中から評価点が最高の空間画像を選択する。
【００３０】
なお、評価点は、地理情報、居住空間及び嗜好特性の組み合わせに対する空間画像の適合度を示す数値である。つまり、同じ空間画像であっても、対応する組み合わせが異なる場合では、評価点が異なる場合がある。例えば、「リビングダイニング」、「２０代男性」及び「だんらん」に対応する「空間画像Ａ」の評価点と、「リビングダイニング」、「２０代男性」及び「くつろぎ」に対応する「空間画像Ａ」の評価点とは、異なっていてもよい。
【００３１】
本実施の形態では、評価点は、ユーザによる再評価の結果に基づいて更新される。例えば、評価点は、複数のユーザによって付された複数の再評価点の平均値である。なお、評価点は、複数の再評価点の中間値、最高値、最低値などでもよい。再評価点は、例えば、１点〜５点の５段階で受け付けられるので、評価点は、１．０〜５．０の範囲で示される。
【００３２】
選択部２０は、再評価部４０によって受け付けられた再評価点が所定の閾値以上である場合に、選択中の空間画像を、ユーザが望む空間画像として決定する。閾値は、例えば、再評価点の最高値の８０％（例えば、４点）であるが、これに限定されない。例えば、閾値は、再評価点の最高値でもよい。
【００３３】
選択部２０は、再評価部４０によって受け付けられた再評価点が所定の閾値より小さい場合に、候補群の中から、選択済みの空間画像とは異なる空間画像を選択する。具体的には、選択部２０は、再評価部４０が閾値以上の再評価点を受け付けるまで、評価点が高い順で空間画像を選択する。
【００３４】
評価点が同じ空間画像が複数ある場合、選択部２０は、これらの複数の空間画像から任意の１つを選択する。あるいは、選択部２０は、予め定められた優先順位に基づいて空間画像を選択してもよい。
【００３５】
優先順位は、例えば、第１データベース６２、第２データベース６４及び第３データベース６６のいずれのデータベースから選択された空間画像であるかに応じて定められてもよい。例えば、第１データベース６２から選択された空間画像、すなわち、地理的属性に基づいて評価された空間画像を再優先としてもよい。
【００３６】
また、優先順位は、例えば、複数の再評価点の標準偏差又は最高値などに基づいて決定される。例えば、選択部２０は、評価点が同じ空間画像が複数ある場合に、複数の空間画像の各々の再評価点の標準偏差が最も小さい空間画像を選択してもよい。あるいは、選択部２０は、複数の空間画像の各々の再評価点の最高値が最も高い空間画像を選択してもよい。
【００３７】
選択部２０は、例えば、プログラムが格納された不揮発性メモリ、プログラムを実行するための一時的な記憶領域である揮発性メモリ、入出力ポート、プログラムを実行するプロセッサなどで実現される。
【００３８】
［表示部］
表示部３０は、選択部２０によって選択された空間画像を表示する。本実施の形態では、表示部３０は、特性情報及びシーン情報の入力画面、並びに、空間画像の再評価画面を表示する。具体的な表示例については、後で説明する。
【００３９】
本実施の形態では、再評価部４０によって受け付けられた再評価点が所定の閾値以上である場合に、表示中の空間画像が、ユーザの要望に合った空間イメージを表していると決定される。この場合に、例えば、表示部３０は、表示中の空間画像の詳細な情報を表示してもよい。詳細な情報には、例えば、空間画像が表す空間イメージを現実の居住空間に実現するために必要な情報が含まれる。具体的には、詳細な情報には、空間画像に含まれる家具の種類、並びに、照明器具の種類及び設定値などが含まれる。
【００４０】
表示部３０は、例えば、液晶表示装置、有機ＥＬ（Ｅｌｅｃｔｒｏ  Ｌｕｍｉｎｅｓｃｅｎｃｅ）表示装置などで実現される。
【００４１】
［再評価部］
再評価部４０は、選択部２０によって選択された空間画像に対する再評価点を受け付ける。具体的には、再評価部４０は、複数の再評価点の選択肢をユーザに提示し、提示した複数の選択肢の中から再評価点を選択させる。本実施の形態では、再評価点は、１点〜５点の５段階で示される。例えば、再評価点は、「すごく良い（５点）」、「良い（４点）」、「普通（３点）」、「あまり良くない（２点）」、「良くない（１点）」として表される。
【００４２】
例えば、再評価部４０は、タッチパネルディスプレイ（受付部１０と兼用してもよい）などで実現される。具体的には、再評価部４０は、複数の再評価点の候補を表示し、ユーザに選択させる。
【００４３】
なお、再評価部４０は、受付部１０と同様に、表示部３０にテキストボックスなどを表示させることで、テキスト入力で再評価点を受け付けてもよい。あるいは、再評価部４０は、マイクロフォンで実現されて音声入力で再評価点を受け付けてもよい。
【００４４】
［更新部］
更新部５０は、再評価部４０によって受け付けられた再評価点を用いて、データベース部６０に記憶された評価点を更新する。本実施の形態では、更新部５０は、再評価点を空間画像に対応付けて記録する。
【００４５】
具体的には、更新部５０は、再評価部４０によって受け付けられた再評価点と、空間画像に対応付けられた過去の再評価点とを用いて新たな評価点を算出し、算出した新たな評価点に更新する。新たな評価点は、例えば、空間画像に対応付けられた複数の再評価点の平均値として算出される。
【００４６】
なお、更新部５０は、新たな評価点として、複数の再評価点の中間値などを算出してもよい。また、更新部５０は、再評価部４０によって受け付けられた再評価点を、そのまま新たな評価点として用いてもよい。
【００４７】
更新部５０は、例えば、プログラムが格納された不揮発性メモリ、プログラムを実行するための一時的な記憶領域である揮発性メモリ、入出力ポート、プログラムを実行するプロセッサなどで実現される。
【００４８】
［データベース部］
データベース部６０は、各々に評価点が対応付けられた複数の空間画像を記憶する。データベース部６０は、ＨＤＤ（Ｈａｒｄ  Ｄｉｓｋ  Ｄｒｉｖｅ）、フラッシュメモリなどの不揮発性メモリで構成される。
【００４９】
空間画像は、空間イメージを表す画像である。具体的には、空間画像は、空間イメージが反映されたモデルルームなどを撮影することで得られる撮影画像である。
【００５０】
空間イメージは、所定の空間に対してユーザが抱く心象、すなわち、所定の空間の雰囲気である。具体的には、空間イメージは、空間の大きさ、明るさ及び色など、空間内に配置される家具の種類及び配置など、並びに、空間内を照明する照明器具の配置、光束及び光色などによって総合的に表される。
【００５１】
図１に示すように、データベース部６０は、第１データベース６２と、第２データベース６４と、第３データベース６６とを有する。以下では、各データベースについて、図２Ａ〜図２Ｃを用いて説明する。
【００５２】
図２Ａは、本実施の形態に係る第１データベース６２の内容を示す図である。第１データベース６２は、複数の空間画像のうち、地理情報と空間情報と印象情報との組み合わせ毎に対応付けられた１以上の第１空間画像を記憶するデータベースである。
【００５３】
地理情報は、複数の地理的属性を示す情報である。地理情報は、ユーザの居住地又は出身地などの地理的属性を特定するために用いられる。具体的には、地理的属性は、図２Ａに示すように、「東京」、「大阪」、「北京」、「上海」などの地名で表される。地名には、市町村、都道府県、州、国などの名称が含まれる。
【００５４】
空間情報は、複数の居住空間を示す情報である。空間情報は、ユーザに提示する空間イメージを構築する対象となる居住空間を特定するために用いられる。居住空間は、住宅などの屋内の空間であって人が過ごす空間である。具体的には、図２Ａに示すように、「リビングダイニング」、「寝室」などの居住空間の名称で表される。なお、居住空間には、リビングルーム、寝室、台所などの居室だけでなく、玄関、浴室などが含まれてもよい。また、居住空間には、乗り物などの室内が含まれてもよい。
【００５５】
印象情報は、生活シーンの複数の印象を示す情報である。印象情報は、ユーザに提示する空間イメージが表す空間の雰囲気を特定するために用いられる。生活シーンの印象は、居住空間内に居るユーザが抱く印象であり、居住空間毎に居住空間の印象を表す言葉で表される。具体的には、図２Ａに示すように、「リビングダイニング」に対する印象として「だんらん」及び「くつろぎ」が対応付けられ、「寝室」に対する印象として「リラックス」が対応付けられている。
【００５６】
図２Ａに示すように、第１データベース６２では、地理情報が縦の列で示され、空間情報が横の行（見出し）で示されている。印象情報は、空間情報が示す居住空間毎に対応付けられている。したがって、地理的属性と、居住空間と、印象とを特定することで、第１データベース６２内の値（具体的には、複数の第１空間画像６３）が特定される。
【００５７】
第１データベース６２では、地理的属性と、居住空間と、印象との組み合わせが複数管理されている。複数の組み合わせの各々に対して、複数の第１空間画像６３が対応付けられている。なお、一の組み合わせに対応付けられた複数の第１空間画像６３は、互いに異なる空間イメージを表している。複数の第１空間画像６３の各々には、評価点が対応付けられている。詳細については、図３を用いて後で説明する。
【００５８】
図２Ｂは、本実施の形態に係る第２データベース６４の内容を示す図である。第２データベース６４は、複数の空間画像のうち、人口動態情報と空間情報と印象情報との組み合わせ毎に対応付けられた１以上の第２空間画像を記憶するデータベースである。
【００５９】
人口動態情報は、複数の人口動態属性を示す情報である。人口動態情報は、ユーザの年齢、性別などの人口動態属性を特定するために用いられる。人口動態属性は、具体的には、図２Ｂに示すように、「２０代男性」、「２０代女性」、「３０代男性」、「３０代女性」などの年齢及び性別などの人口動態変数が表す具体的な値である。人口動態変数には、年齢及び性別に限らず、家族構成、職業、宗教、人種などが含まれてもよい。また、図２Ａに示す例では、年齢及び性別の両方を用いたが、いずれか一方のみでもよい。
【００６０】
図２Ｂに示すように、第２データベース６４では、人口動態情報が縦の列で示されており、横の行は、図２Ａに示す第１データベース６２と同じである。したがって、人口動態属性と、居住空間と、印象とを特定することで、第２データベース６４内の値（具体的には、複数の第２空間画像６５）が特定される。
【００６１】
第２データベース６４では、人口動態属性と、居住空間と、印象との組み合わせが複数管理されている。複数の組み合わせの各々に対して、複数の第２空間画像６５が対応付けられている。なお、一の組み合わせに対応付けられた複数の第２空間画像６５は、互いに異なる空間イメージを表している。複数の第２空間画像６５の各々には、評価点が対応付けられている。
【００６２】
図２Ｃは、本実施の形態に係る第３データベース６６の内容を示す図である。第３データベース６６は、複数の空間画像のうち、嗜好情報と空間情報と印象情報との組み合わせ毎に対応付けられた１以上の第３空間画像を記憶するデータベースである。
【００６３】
嗜好情報は、複数の嗜好特性を示す情報である。嗜好情報は、ユーザの嗜好を特定するために用いられる。具体的には、嗜好特性は、図２Ｃに示すように、「シンプル」、「デコラティブ」、「ラグジュアリー」、「カジュアル」などの心理的特性を表す言葉で表される。
【００６４】
図２Ｃに示すように、第３データベース６６では、嗜好情報が縦の列で示されており、横の行は、図２Ａに示す第１データベース６２と同じである。したがって、嗜好特性と、居住空間と、印象とを特定することで、第３データベース６６内の値（具体的には、複数の第３空間画像６７）が特定される。
【００６５】
第３データベース６６では、嗜好特性と、居住空間と、印象との組み合わせが複数管理されている。複数の組み合わせの各々に対して、複数の第３空間画像６７が対応付けられている。なお、一の組み合わせに対応付けられた複数の第３空間画像６７は、互いに異なる空間イメージを表している。複数の第３空間画像６７の各々には、評価点が対応付けられている。
【００６６】
［評価点］
ここで、図３を用いて、複数の空間画像の各々に対応付けられた評価点について説明する。図３は、本実施の形態に係る所定の組み合わせに対応付けられた複数の空間画像と評価点との対応関係を示す図である。具体的には、図３では、図２Ａに示す第１データベース６２において、地理情報が「上海」を示し、空間情報が「リビングダイニング」を示し、印象情報が「だんらん」を示している場合の複数の第１空間画像６３を示している（図２Ａにおけるドットの網掛けが付された部分）。
【００６７】
図３に示すように、空間画像には、評価点と履歴情報とが対応付けられている。履歴情報には、複数の再評価点が含まれている。複数の再評価点はそれぞれ、複数又は１人のユーザによって付与された点数である。評価点は、例えば、履歴情報に含まれる複数の再評価点の平均値である。
【００６８】
例えば、図３に示す例では、「空間画像Ａ」に対して、評価点「３．２」が対応付けられている。評価点「３．２」は、履歴情報に含まれる５つの再評価点「２」、「４」、「４」、「１」、「５」の平均値である。
【００６９】
［動作］
続いて、本実施の形態に係る空間イメージ提案システム１の動作について、図４を用いて説明する。図４は、本実施の形態に係る空間イメージ提案システム１の動作を示すフローチャートである。
【００７０】
まず、受付部１０は、ユーザの特性情報を受け付ける（Ｓ１０）。具体的には、受付部１０は、表示部３０に特性情報の入力画面を表示させ、ユーザに特性情報を入力させる。
【００７１】
例えば、表示部３０には、第１データベース６２の地理情報に含まれる複数の地理的属性が選択候補として表示される。ユーザは、表示部３０に表示される複数の地理的属性の中から、１つの地理的属性（例えば、「上海」）を選択する。これにより、受付部１０は、「上海」という地理的属性を受け付ける。
【００７２】
続いて、表示部３０には、第２データベース６４の人口動態情報に含まれる複数の人口動態属性が選択候補として表示される。ユーザは、表示部３０に表示される複数の人口動態属性の中から、１つの人口動態属性（例えば、「３０代男性」）を選択する。これにより、受付部１０は、「３０代男性」という人口動態属性を受け付ける。
【００７３】
さらに、表示部３０には、第３データベース６６の嗜好情報に含まれる複数の嗜好特性が選択候補として表示される。ユーザは、表示部３０に表示される複数の嗜好特性の中から、１つの嗜好特性（例えば、「シンプル」）を選択する。これにより、受付部１０は、「シンプル」という嗜好特性を受け付ける。
【００７４】
なお、地理的属性、人口動態属性及び嗜好特性の受け付けは、いずれが先に行われてもよく、あるいは、同時に受け付けてもよい。例えば、表示部３０に複数の地理的属性、複数の人口動態属性及び複数の嗜好特性が一画面に表示されてもよい。
【００７５】
次に、受付部１０は、シーン情報を受け付ける（Ｓ１２）。具体的には、受付部１０は、表示部３０にシーン情報の入力画面を表示させ、ユーザにシーン情報を入力させる。
【００７６】
例えば、表示部３０には、第１データベース６２の見出しに含まれる複数の居住空間が選択候補として表示される。ユーザは、表示部３０に表示される複数の居住空間の中から、１つの選択候補（例えば、「リビングダイニング」）を選択する。これにより、受付部１０は、「リビングダイニング」という居住空間を受け付ける。
【００７７】
続いて、表示部３０には、「リビングダイニング」に対応付けられた複数の印象が選択候補として表示される。ユーザは、表示部３０に表示される複数の印象の中から、１つの印象（例えば、「だんらん」）を選択する。これにより、受付部１０は、「だんらん」という印象を受け付ける。
【００７８】
次に、選択部２０は、特性情報及びシーン情報に基づいて、データベース部６０から候補群を選択する（Ｓ１４）。受付部１０が受け付けた特性情報（具体的には、地理的属性、人口動態属性及び嗜好特性）によって各データベースの行が特定され、かつ、受付部１０が受け付けたシーン情報（具体的には、居住空間及び印象）によって各データベースの列が特定される。したがって、選択部２０は、各データベースから行と列との交差部分に対応する複数の空間画像を候補群として選択する。
【００７９】
例えば、選択部２０は、図２Ａに示す第１データベース６２から、「上海」、「リビングダイニング」及び「だんらん」の組み合わせに対応する複数の第１空間画像６３（ドットの網掛け部分）を選択する。同様に、選択部２０は、図２Ｂに示す第２データベース６４から、「３０代男性」、「リビングダイニング」及び「だんらん」に対応する複数の第２空間画像６５（縦線の網掛け部分）を選択する。さらに、選択部２０は、図２Ｃに示す第３データベース６６から、「シンプル」、「リビングダイニング」及び「だんらん」に対応する複数の第３空間画像６７（斜め格子の網掛け部分）を選択する。つまり、選択部２０は、３つのデータベースの各々から選択された複数の空間画像の全てを候補群として選択する。
【００８０】
次に、選択部２０は、候補群の中から、評価点が最高の空間画像を選択し、表示部３０に表示させる（Ｓ１６）。なお、評価点が最高の空間画像が複数存在する場合には、選択部２０は、例えば、予め定められた優先順位に基づいて一の空間画像を選択する。
【００８１】
図５は、本実施の形態に係る表示部３０による空間画像３２と再評価点の入力画面３６の表示例を示す図である。
【００８２】
空間画像３２は、候補群の中で評価点が最高の空間画像であり、選択部２０によって選択された空間画像である。また、図５に示すように、表示部３０には、評価点３４が表示されてもよい。評価点３４は、空間画像３２に対応付けられている評価点である。
【００８３】
再評価点の入力画面３６は、ユーザに空間画像３２を再評価させるための入力画面であり、複数の再評価点の候補が選択肢として含まれている。さらに、図５に示す例では、決定ボタン３８が含まれている。ユーザは、自身が抱いた印象に従って「１点」〜「５点」の中で再評価点を選択し、決定ボタン３８を押下する。これにより、再評価部４０は、ユーザによる再評価点を受け付ける（Ｓ１８）。
【００８４】
図４に戻り、ユーザによる再評価点が所定の閾値以上である場合（Ｓ２０でＹｅｓ）、更新部５０は、データベースを更新し、選択部２０は、表示中の空間画像をユーザが望む空間イメージを表す画像として決定する（Ｓ２２）。
【００８５】
図６は、本実施の形態に係る評価点の更新処理を説明するための図である。
【００８６】
ここでは、「空間画像Ｂ」が表示されており、ユーザが再評価点として「５点」を選択した場合について説明する。なお、閾値は、例えば「４点」であり、「空間画像Ｂ」は、ユーザが望む空間イメージを表す画像として決定される。
【００８７】
更新部５０は、「上海」、「リビングダイニング」及び「だんらん」の組み合わせに対応する「空間画像Ｂ」の評価点及び履歴情報を更新する。更新部５０は、他の組み合わせに対応する「空間画像Ｂ」がデータベース部６０に記憶されている場合であっても、当該他の組み合わせに対応する「空間画像Ｂ」の評価点及び履歴情報を更新しない。つまり、同一の空間画像が複数の組み合わせに対応付けられている場合において、更新部５０は、表示中の空間画像のみの評価点及び履歴情報を更新する。
【００８８】
図６に示すように、更新部５０は、ユーザが選択した再評価点「５点」を「空間画像Ｂ」の履歴情報に記録する。さらに、更新部５０は、履歴情報に含まれる全ての再評価点の平均値を算出し、算出した平均値を新たな評価点として記録する。図６に示す例では、「４点」、「５点」、「５点」、「４点」及び「５点」の平均値として、「４．６点」が「空間画像Ｂ」の評価点として記録される。
【００８９】
図４に戻り、ユーザによる再評価点が所定の閾値より低い場合（Ｓ２０でＮｏ）、更新部５０は、データベースを更新し、選択部２０は、表示中の空間画像を候補群から除外する（Ｓ２４）。その後、ステップＳ１６に戻り、選択部２０は、選択済みの空間画像を除く候補群の中で、評価点が最高の空間画像を選択する。これにより、選択部２０は、評価点が高い順で空間画像を選択し、表示部３０に表示させる。
【００９０】
なお、本実施の形態では、選択部２０は、空間画像を評価点が高い順に１つずつ選択して、表示部３０に表示させたが、これに限らない。選択部２０は、評価点が高い順に複数の空間画像を選択してもよい。このとき、表示部３０は、複数の空間画像を同一画面に表示してもよい。例えば、表示部３０は、複数の空間画像を評価点の高い順で表示してもよく、あるいは、最も高い空間画像を大きく表示してもよい。
【００９１】
これにより、複数の空間画像が同一画面に表示される場合であっても、評価点の高い空間画像が強調して表示されるので、ユーザは、評価点が高い空間画像がどれであるかを簡単に把握することができる。したがって、ユーザの要望に合った空間イメージを簡単に提案することができる。また、表示部３０は、画面スクロールなどによって、複数の空間画像を切り替えて表示してもよい。
【００９２】
［効果など］
以上のように、本実施の形態に係る空間イメージ提案システム１は、各々に評価点が対応付けられた複数の空間画像を記憶するデータベース部６０と、データベース部６０を参照して所定の条件を満たす１以上の空間画像を候補群として選択し、選択した候補群の中から、評価点に基づいて一の空間画像を選択する選択部２０と、選択部２０によって選択された空間画像を表示する表示部３０と、選択部２０によって選択された空間画像に対する再評価点を受け付ける再評価部４０とを備え、データベース部６０は、複数の空間画像のうち、複数の地理的属性を示す地理情報と複数の居住空間を示す空間情報と生活シーンの複数の印象を示す印象情報との組み合わせ毎に対応付けられた１以上の第１空間画像を記憶する第１データベース６２と、複数の空間画像のうち、複数の人口動態属性を示す人口動態情報と空間情報と印象情報との組み合わせ毎に対応付けられた１以上の第２空間画像を記憶する第２データベース６４とを有する。
【００９３】
これにより、表示部３０が評価点に基づいて選択された空間画像を表示するので、ユーザの要望に合った空間イメージを提案することができる。例えば、評価点の高い空間画像を表示することで、表示される空間画像がユーザの要望に合う可能性を高めることができる。したがって、ユーザの要望に合った空間イメージを簡単に提案することができる。
【００９４】
また、例えば、ユーザの要望に合った空間画像が表示されるまでに表示される空間画像の枚数を少なくすることができるので、処理量及び装置の消費電力を削減することができる。例えば、１枚目の空間画像がユーザの要望に合った場合は、その他の空間画像を表示しなくてすむので、処理量及び消費電力を大幅に削減することができる。
【００９５】
また、例えば、データベース部６０は、さらに、複数の空間画像のうち、複数の嗜好特性を示す嗜好情報と空間情報と印象情報との組み合わせ毎に対応付けられた１以上の第３空間画像を記憶する第３データベース６６を有する。
【００９６】
これにより、嗜好特性に基づいた第３データベース６６を有するので、表示される空間画像がユーザの要望に合う可能性をさらに高めることができる。したがって、より簡単に、ユーザの要望に合った空間イメージを提案することができる。
【００９７】
また、例えば、さらに、再評価部４０によって受け付けられた再評価点を用いて、データベース部６０に記憶された評価点を更新する更新部５０を備える。
【００９８】
これにより、ユーザが空間画像を評価した結果をデータベースに反映させることができるので、データベースは、ユーザの要望との適合度がより高められる。したがって、表示される空間画像がユーザの要望に合う可能性をさらに高めることができる。
【００９９】
また、例えば、選択部２０は、さらに、再評価部４０によって受け付けられた再評価点が所定の閾値より小さい場合に、候補群の中から、一の空間画像とは異なる空間画像を選択する。
【０１００】
これにより、評価点が閾値より低い場合には別の空間画像が表示されるので、表示される空間画像を見ながら、要望に合った空間画像が見つかるまで、複数の空間画像をユーザに提示することができる。したがって、表示される空間画像がユーザの要望に合う可能性をさらに高めることができる。
【０１０１】
また、例えば、選択部２０は、再評価部４０が閾値以上の再評価点を受け付けるまで、評価点が高い順で空間画像を選択する。
【０１０２】
これにより、評価点が高い順で空間画像が選択されて表示されるので、表示される空間画像がユーザの要望に合う可能性が格段に高くなる。このため、ユーザの要望に合った空間イメージを簡単に提案することができる。
【０１０３】
また、例えば、さらに、地理的属性及び人口動態属性の少なくとも一方と、居住空間及び生活シーンの印象とを受け付ける受付部１０を備え、選択部２０は、受付部１０が受け付けた地理的属性、居住空間及び生活シーンの印象の組み合わせに対応する１以上の第１空間画像と、受付部１０が受け付けた人口動態属性、居住空間及び生活シーンの印象の組み合わせに対応する１以上の第２空間画像との少なくとも一方を、候補群として選択する。
【０１０４】
これにより、地理的属性、人口動態属性、居住空間及び生活シーンの印象をユーザに入力させることができるので、ユーザの要望に合った空間イメージを簡単に提案することができる。
【０１０５】
なお、本実施の形態における技術は、空間イメージ提案システムとして実現できるだけでなく、コンピュータを、上述した空間イメージ提案システムとして機能させるためのプログラムとして実現することもできる。あるいは、当該プログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１０６】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１０７】
また、本実施の形態に係るイメージ提案システムは、各々に評価点が対応付けられた複数の空間画像を記憶するデータベース部６０を参照して所定の条件を満たす１以上の空間画像を候補群として選択し、選択した候補群の中から、評価点に基づいて一の空間画像を選択する選択部２０と、選択部２０によって選択された空間画像を表示する表示部３０と、選択部２０によって選択された空間画像に対する再評価点を受け付ける再評価部４０とを備え、データベース部６０は、複数の空間画像のうち、複数の地理的属性を示す地理情報と複数の居住空間を示す空間情報と生活シーンの複数の印象を示す印象情報との組み合わせ毎に対応付けられた１以上の第１空間画像を記憶する第１データベース６２と、複数の空間画像のうち、複数の人口動態属性を示す人口動態情報と空間情報と印象情報との組み合わせ毎に対応付けられた１以上の第２空間画像を記憶する第２データベース６４とを有する。
【０１０８】
（その他）
以上、本発明に係る空間イメージ提案システムについて、上記実施の形態及びその変形例に基づいて説明したが、本発明は、上記の実施の形態に限定されるものではない。
【０１０９】
例えば、上記の実施の形態では、データベース部６０が３つのデータベースを有する例について示したが、これに限らない。例えば、データベース部６０は、第３データベース６６を備えずに、第１データベース６２及び第２データベース６４のみを備えてもよい。また、データベース部６０は、第１データベース６２、第２データベース６４及び第３データベース６６以外の別のデータベースを有してもよい。
【０１１０】
また、例えば、上記の実施の形態では、空間イメージ提案システム１が更新部５０を備える例について示したが、これに限らない。すなわち、ユーザによる再評価点を用いて、データベース部６０を更新しなくてもよい。例えば、複数のユーザの地理的属性、人口動態属性などに基づいて、十分に精度の高いデータベースが構築された後などは、ユーザの再評価点を更新しなくてもよい。
【０１１１】
また、例えば、上記の実施の形態では、表示部３０は、評価点が高い順に空間画像を表示したが、これに限らない。例えば、表示部３０は、評価点が所定の閾値以上の複数の空間画像を同一画面で表示してもよい。
【０１１２】
また、上記の実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０１１３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１４】
１  空間イメージ提案システム
２  端末装置（空間イメージ提案装置）
１０  受付部
２０  選択部
３０  表示部
３２  空間画像
３４  評価点
４０  再評価部
５０  更新部
６０  データベース部
６２  第１データベース
６３  第１空間画像
６４  第２データベース
６５  第２空間画像
６６  第３データベース
６７  第３空間画像
【図１】
0006664061.tif 000002
【図２Ａ】
0006664061.tif 000003
【図２Ｂ】
0006664061.tif 000004
【図２Ｃ】
0006664061.tif 000005
【図３】
0006664061.tif 000006
【図４】
0006664061.tif 000007
【図５】
0006664061.tif 000008
【図６】
0006664061.tif 000009